Podtech/llm-jp-corpus-v4-ja_patent huggingface dataset:
【手続補正書】
【提出日】平成23年6月30日(2011.6.30)
【手続補正１】
【補正対象書類名】特許請求の範囲
【補正対象項目名】請求項２
【補正方法】変更
【補正の内容】
【請求項２】
Ｙが、結合、ＣＲ３Ｒ３０、およびＣ＝ＣＲ３Ｒ３０から選択され、
Ｗが、結合、ＣＲ４Ｒ４０、およびＣ＝ＣＲ４Ｒ４０から選択され、
ＹおよびＷが共に結合でないとき、ＹとＷの間の結合は単結合または二重結合であり、それが二重結合であるとき、ＹはＣＲ３であり、ＷはＣＲ４であり、
Ｚが、結合またはＣＲ５Ｒ６から選択され、
Ｒ１、Ｒ２、Ｒ３、Ｒ４、Ｒ５、Ｒ６、Ｒ７、Ｒ８、Ｒ３０、およびＲ４０が、同じであるかまたは異なり、それぞれ水素、ＯＲＤ、ハロゲン、Ｃ１〜４アルキル、ハロＣ１〜４アルキル、ジハロＣ１〜４アルキル、およびトリハロＣ１〜４アルキルからなる群から選択され、
各ＲＡが、水素、Ｃ１〜４アルキル、Ｃ３〜６シクロアルキル、フェニル、およびベンジルからなる群から独立して選択され、
各ＲＤが、Ｃ１〜４アルキル、Ｃ３〜６シクロアルキル、フェニル、およびベンジルからなる群から独立して選択され、
Ｒ９およびＲ１０が、同じであるかまたは異なり、それぞれ水素、ハロゲン、ＯＲＡ、Ｃ１〜４アルキル、ハロＣ１〜４アルキル、ジハロＣ１〜４アルキル、およびトリハロＣ１〜４アルキルからなる群から選択され、
Ｘが、ＯおよびＮＯＨから選択され、
Ｒ１１が、水素、ハロゲン、シアノ、−Ｃ（Ｏ）Ｃ１〜４アルキル、Ｃ１〜４アルキル、ハロＣ１〜４アルキル、ジハロＣ１〜４アルキル、トリハロＣ１〜４アルキル、Ｃ２〜６アルケニル、Ｃ２〜４アルキニル、Ｃ３〜６シクロアルキル、Ｃ３〜６シクロアルキルＣ１〜２アルキル、フェニル、ベンジル、およびＣ５〜６ヘテロシクリルからなる群から選択され、前記フェニル、ベンジル、またはＣ５〜６ヘテロシクリル基は、非置換であるか、または１〜３個の置換基で置換されていることができ、各置換基は、ＯＲＡ、ハロゲン、シアノ、ニトロ、Ｃ１〜２アルキル、ハロＣ１〜２アルキル、ジハロＣ１〜２アルキル、およびトリハロＣ１〜２アルキルからなる群から独立して選択され、
Ｒ１２およびＲ１６が、同じであるかまたは異なり、それぞれ水素、ＯＲＡ、ハロゲン、Ｃ１〜４アルキル、ハロＣ１〜４アルキル、ジハロＣ１〜４アルキル、およびトリハロＣ１〜４アルキルからなる群から選択され、
Ｒ１３およびＲ１５が、同じであるかまたは異なり、それぞれ水素、ハロゲン、ＯＲＡ、Ｎ（ＲＢ）２、Ｃ１〜４アルキル、ハロＣ１〜４アルキル、ジハロＣ１〜４アルキル、およびトリハロＣ１〜４アルキルからなる群から選択され、
Ｒ１４が、ＯＲＡ、Ｎ（ＲＣ）２、−Ｃ（Ｏ）Ｃ１〜４アルキル、−Ｃ（Ｏ）フェニル、および−Ｏ−Ｃ（Ｏ）ＲＡからなる群から選択されるか、またはＲ１４およびＲ１５、もしくはＲ１３およびＲ１４は、それらが結合している原子と共に、ＯおよびＮから選択された１から３個のヘテロ原子を場合により含有する５、６、または７員環式基を形成することができ、
各ＲＢが、水素、−Ｃ（Ｏ）Ｃ１〜４アルキル、およびＣ１〜４アルキルからなる群から独立して選択され、
各ＲＣが、水素、−Ｃ（Ｏ）Ｍｅ、およびＣ１〜４アルキルからなる群から独立して選択される、請求項１に記載の化合物。
【手続補正２】
【補正対象書類名】特許請求の範囲
【補正対象項目名】請求項３
【補正方法】変更
【補正の内容】
【請求項３】
Ｙが、結合またはＣＲ３Ｒ３０から選択され、
Ｗが、結合またはＣＲ４Ｒ４０から選択され、
ＹおよびＷが共に結合でないとき、ＹとＷの間の結合は単結合または二重結合であり、それが二重結合であるとき、ＹはＣＲ３であり、ＷはＣＲ４であり、
Ｚが、結合またはＣＲ５Ｒ６から選択され、
Ｒ１、Ｒ２、Ｒ３、Ｒ４、Ｒ５、Ｒ６、Ｒ７、Ｒ８、Ｒ３０、およびＲ４０が、同じであるかまたは異なり、それぞれ水素、ＯＲＤ、ハロゲン、Ｃ１〜４アルキル、ハロＣ１〜４アルキル、ジハロＣ１〜４アルキル、およびトリハロＣ１〜４アルキルからなる群から選択され、
各ＲＤが、Ｃ１〜４アルキル、Ｃ３〜６シクロアルキル、フェニル、およびベンジルからなる群から独立して選択され、
各ＲＡが、水素、Ｃ１〜４アルキル、Ｃ３〜６シクロアルキル、フェニル、およびベンジルからなる群から独立して選択され、
Ｒ９およびＲ１０が、同じであるかまたは異なり、それぞれ水素、ハロゲン、ＯＲＡ、Ｃ１〜４アルキル、ハロＣ１〜４アルキル、ジハロＣ１〜４アルキル、およびトリハロＣ１〜４アルキルからなる群から選択され、
Ｘが、ＯおよびＮＯＨから選択され、
Ｒ１１が、水素、ハロゲン、シアノ、−Ｃ（Ｏ）Ｃ１〜４アルキル、Ｃ１〜４アルキル、ハロＣ１〜４アルキル、ジハロＣ１〜４アルキル、トリハロＣ１〜４アルキル、Ｃ２〜６アルケニル、Ｃ２〜４アルキニル、Ｃ３〜６シクロアルキル、Ｃ３〜６シクロアルキルＣ１〜２アルキル、フェニル、ベンジル、およびＣ５〜６ヘテロシクリルからなる群から選択され、前記フェニル、ベンジル、またはＣ５〜６ヘテロシクリル基は、非置換であるか、または１〜３個の置換基で置換されていることができ、各置換基は、ＯＲＡ、ハロゲン、シアノ、ニトロ、Ｃ１〜２アルキル、ハロＣ１〜２アルキル、ジハロＣ１〜２アルキル、およびトリハロＣ１〜２アルキルからなる群から独立して選択され、
Ｒ１２およびＲ１６が、同じであるかまたは異なり、それぞれ水素、ＯＲＡ、ハロゲン、Ｃ１〜４アルキル、ハロＣ１〜４アルキル、ジハロＣ１〜４アルキル、およびトリハロＣ１〜４アルキルからなる群から選択され、
Ｒ１３およびＲ１５が、同じであるかまたは異なり、それぞれ水素、ハロゲン、ＯＲＡ、Ｎ（ＲＢ）２、Ｃ１〜４アルキル、ハロＣ１〜４アルキル、ジハロＣ１〜４アルキル、およびトリハロＣ１〜４アルキルからなる群から選択され、
Ｒ１４が、ＯＲＡ、Ｎ（ＲＣ）２、−Ｃ（Ｏ）Ｃ１〜４アルキル、−Ｃ（Ｏ）フェニル、および−Ｏ−Ｃ（Ｏ）ＲＡからなる群から選択されるか、またはＲ１４およびＲ１５、もしくはＲ１３およびＲ１４は、それらが結合している原子と共に、ＯおよびＮから選択された１から３個のヘテロ原子を場合により含有する５、６、または７員環式基を形成することができ、
各ＲＢが、水素、−Ｃ（Ｏ）Ｃ１〜４アルキル、およびＣ１〜４アルキルからなる群から独立して選択され、
各ＲＣが、水素、−Ｃ（Ｏ）Ｍｅ、およびＣ１〜４アルキルからなる群から独立して選択される、請求項１に記載の化合物。
【手続補正書】
【提出日】平成23年6月23日(2011.6.23)
【手続補正１】
【補正対象書類名】特許請求の範囲
【補正対象項目名】全文
【補正方法】変更
【補正の内容】
【特許請求の範囲】
【請求項１】
細胞内においてＣａ２＋媒介性サイトカイン発現を抑制し且つ該細胞内においてストア作動性Ｃａ２＋流入の大幅な減少を引き起こさないインビトロでの方法であって、
前記細胞を、前記細胞内においてＣａ２＋媒介性サイトカイン発現を抑制するのに効果的な量の選択的Ｓｔｉｍ２インヒビターに接触させる工程を備えることを特徴とする方法。
【請求項２】
前記細胞が、リンパ球であることを特徴とする請求項１記載の方法。
【請求項３】
前記細胞が、Ｔ細胞であることを特徴とする請求項２記載の方法。
【請求項４】
前記Ｔ細胞が、制御性Ｔ細胞であることを特徴とする請求項３記載の方法。
【請求項５】
前記選択的Ｓｔｉｍ２インヒビターが、Ｓｔｉｍ１と比較してＳｔｉｍ２を選択的に抑制することを特徴とする請求項１乃至４いずれかに記載の方法。
【請求項６】
細胞内においてＣａ２＋媒介性サイトカイン発現を抑制し且つ該細胞内においてストア作動性Ｃａ２＋流入の大幅な減少を引き起こすインビトロでの方法であって、
前記細胞を、細胞内においてＣａ２＋媒介性サイトカイン発現を抑制し且つ前記細胞内においてストア作動性Ｃａ２＋流入の大幅な減少を引き起こすのに効果的な量の選択的Ｓｔｉｍ１インヒビターに接触させる工程を備えることを特徴とする方法。
【請求項７】
前記細胞が、リンパ球であることを特徴とする請求項６記載の方法。
【請求項８】
前記細胞が、Ｔ細胞であることを特徴とする請求項７記載の方法。
【請求項９】
前記Ｔ細胞が、制御性Ｔ細胞であることを特徴とする請求項８記載の方法。
【請求項１０】
前記選択的Ｓｔｉｍ１インヒビターが、Ｓｔｉｍ２と比較してＳｔｉｍ１を選択的に抑制することを特徴とする請求項６乃至９いずれかに記載の方法。
【請求項１１】
細胞内においてＣａ２＋媒介性サイトカイン発現を抑制し且つ該細胞内においてストア作動性Ｃａ２＋流入の大幅な減少を引き起こさない検査薬を同定する方法であって、
ａ．少なくとも１つの検査薬を、ＳＴＩＭ２タンパク質又はその機能性フラグメントをコードする異種核酸を含む組換え細胞に接触させる工程を備え、
前記異種ＳＴＩＭ２タンパク質又はその機能性フラグメントが、ヒトＳＴＩＭ２タンパク質と少なくとも８０％が同一であるアミノ酸配列を有し、
前記方法はさらに、
ｂ．前記細胞内においてＣａ２＋媒介性サイトカイン発現を測定する工程と、
ｃ．細胞膜を介するイオン流動もしくは電流又は膜電位の変化を測定する工程か、
前記細胞からの蛍光信号の変化を検出する工程か、
前記細胞からの発光信号の変化を検出する工程か、
前記細胞の膜電位の変化を測定する工程のいずれかとを備えることを特徴とする方法。
【請求項１２】
前記細胞が、Ｔ細胞であることを特徴とする請求項１１記載の方法。
【請求項１３】
被験者内の腫瘍に対する免疫反応を増大させる検査薬を同定する方法であって、
（ａ）少なくとも１つの検査薬を、ＳＴＩＭ１タンパク質又はその機能性フラグメント、及びＳＴＩＭ２タンパク質又はその機能性フラグメントをコードする異種核酸を含む組換え細胞に接触させる工程を備え、
前記異種ＳＴＩＭ１タンパク質又はその機能性フラグメントが、ヒトＳＴＩＭ１タンパク質と少なくとも８０％が同一であるアミノ酸配列を有し、
前記異種ＳＴＩＭ２タンパク質又はその機能性フラグメントが、ヒトＳＴＩＭ２タンパク質と少なくとも８０％が同一であるアミノ酸配列を有し、
細胞膜を介するイオン流動もしくは電流又は膜電位の変化を測定する工程か、
前記細胞からの蛍光信号の変化を検出する工程か、
前記細胞からの発光信号の変化を検出する工程か、
前記細胞の膜電位の変化を測定する工程のいずれかとを備え、
前記方法はさらに、
（ｂ）前記検査薬を前記異種ＳＴＩＭ１タンパク質の単離形態に接触させ、前記検査薬の前記単離異種ＳＴＩＭ１タンパク質への結合性を測定する工程と、
（ｃ）前記検査薬を前記異種ＳＴＩＭ２タンパク質の単離形態に接触させ、前記検査薬の前記単離異種ＳＴＩＭ２タンパク質への結合性を測定する工程とを備えることを特徴とする方法。
【請求項１４】
前記細胞が、Ｔ細胞であることを特徴とする請求項１３記載の方法。
【請求項１５】
Ｓｔｉｍ２インヒビターをさらに備えることを特徴とする請求項６に記載の方法。
【請求項１６】
細胞内においてＣａ２＋媒介性サイトカイン発現を抑制し且つ該細胞内においてストア作動性Ｃａ２＋流入の大幅な減少を引き起こさない選択的Ｓｔｉｍ２インヒビターの使用。
【請求項１７】
前記細胞がリンパ球であることを特徴とする請求項１６に記載の使用。
【請求項１８】
前記細胞がＴ細胞であることを特徴とする請求項１７に記載の使用。
【請求項１９】
前記Ｔ細胞が制御性Ｔ細胞であることを特徴とする請求項１８に記載の使用。
【請求項２０】
前記選択的Ｓｔｉｍ２インヒビターが、Ｓｔｉｍ１と比較してＳｔｉｍ２を選択的に抑制することを特徴とする請求項１６乃至１９のいずれかに記載の使用。
【請求項２１】
細胞内においてＣａ２＋媒介性サイトカイン発現を抑制し且つ該細胞内においてストア作動性Ｃａ２＋流入の大幅な減少を引き起こさない選択的Ｓｔｉｍ１インヒビターの使用。
【請求項２２】
前記細胞がリンパ球であることを特徴とする請求項２１に記載の使用。
【請求項２３】
前記細胞がＴ細胞であることを特徴とする請求項２２に記載の使用。
【請求項２４】
前記Ｔ細胞が制御性Ｔ細胞であることを特徴とする請求項２３に記載の使用。
【請求項２５】
前記選択的Ｓｔｉｍ１インヒビターが、Ｓｔｉｍ２と比較してＳｔｉｍ１を選択的に抑制することを特徴とする請求項２１乃至２４のいずれかに記載の使用。
【請求項２６】
Ｓｔｉｍ２インヒビターをさらに備えることを特徴とする請求項２１に記載の使用。
【手続補正書】
【提出日】平成23年5月6日(2011.5.6)
【手続補正１】
【補正対象書類名】特許請求の範囲
【補正対象項目名】全文
【補正方法】変更
【補正の内容】
【特許請求の範囲】
【請求項１】
Ｎ−｛４−（２，２−ジメチル−プロピオニル）−（５Ｒ）−５−［（２−エチルアミノ−エタンスルホニルアミノ）−メチル］−５−フェニル−４，５−ジヒドロ−［１，３，４］チアジアゾール−２−イル｝−２，２−ジメチル−プロピオンアミド、酒石酸塩、リン酸塩、クエン酸塩、メシラート、リン酸ナトリウム、および硫酸ナトリウムから選択される緩衝液および／または塩、ならびに水溶液中で薬理学的に許容できる担体、希釈剤または賦形剤を含む、医薬組成物であって、前記組成物のｐＨが５．４未満であり、かつ２．０より大きく、Ｎ−｛４−（２，２−ジメチル−プロピオニル）−（５Ｓ）−５−［（２−エチルアミノ−エタンスルホニルアミノ）−メチル］−５−フェニル−４，５−ジヒドロ−［１，３，４］チアジアゾール−２−イル｝−２，２−ジメチル−プロピオンアミドの含有量が２．０％を超えない、キラル変換に安定である、医薬組成物。
【請求項２】
前記緩衝液および／または塩は、酒石酸塩、リン酸塩、クエン酸塩およびリン酸ナトリウムから選択される、請求項１に記載の医薬組成物。
【請求項３】
前記緩衝液および／または塩は、酒石酸塩およびリン酸ナトリウムから選択される、請求項２に記載の医薬組成物。
【請求項４】
前記緩衝液および／または塩は、酒石酸である、請求項３に記載の医薬組成物。
【請求項５】
前記組成物のｐＨは、４．２未満であり、かつ２．０より大きい、請求項１〜４のいずれか１項に記載の医薬組成物。
【請求項６】
Ｎ−｛４−（２，２−ジメチル−プロピオニル）−（５Ｒ）−５−［（２−エチルアミノ−エタンスルホニルアミノ）−メチル］−５−フェニル−４，５−ジヒドロ−［１，３，４］チアジアゾール−２−イル｝−２，２−ジメチル−プロピオンアミド、酒石酸塩、リン酸塩、クエン酸塩、メシラート、リン酸ナトリウム、および硫酸ナトリウムから選択される緩衝液および／または塩、ならびに薬理学的に許容できる担体、希釈剤または賦形剤を含む、凍結乾燥医薬組成物であって、水性希釈剤で希釈した場合、５．４未満かつ２．０より大きいｐＨを有し、Ｎ−｛４−（２，２−ジメチル−プロピオニル）−（５Ｓ）−５−［（２−エチルアミノエタンスルホニルアミノ）−メチル］−５−フェニル−４，５−ジヒドロ−［１，３，４］チアジアゾール−２−イル｝−２，２−ジメチル−プロピオンアミドの含有量が２．０％を超えない、溶液製剤が得られ、キラル変換に安定である、凍結乾燥医薬組成物。
【請求項７】
前記緩衝液および／または塩は、酒石酸塩、リン酸塩、クエン酸塩およびリン酸ナトリウムから選択される、請求項６に記載の凍結乾燥医薬組成物。
【請求項８】
前記緩衝液および／または塩は、酒石酸塩およびリン酸ナトリウムから選択される、請求項７に記載の凍結乾燥医薬組成物。
【請求項９】
前記緩衝液および／または塩は、酒石酸である、請求項８に記載の凍結乾燥医薬組成物。
【請求項１０】
前記溶液製剤のｐＨは、４．２未満であり、かつ２．０より大きい、請求項６〜９のいずれか１項に記載の凍結乾燥医薬組成物。
【手続補正書】
【提出日】平成23年7月6日(2011.7.6)
【手続補正１】
【補正対象書類名】特許請求の範囲
【補正対象項目名】全文
【補正方法】変更
【補正の内容】
【特許請求の範囲】
【請求項１】
シリカ質吸着剤およびその上に固定された薬剤から実質的になる抗菌性組成物であって、該シリカ質吸着剤はアエロジルであり、該薬剤はセラチオペプチダーゼであり、アエロジルが99〜90重量％、セラチオペプチダーゼが1〜10重量％にて存在することを特徴とする抗菌性組成物。
【請求項２】
著しい壊死性および浸出性要素を有する化膿性創傷、栄養障害性潰瘍、熱傷、浸潤を処置するための医薬組成物である、請求項１に記載の組成物。
【請求項３】
創傷の表面に局所的に適用される、著しい壊死性および浸出性要素を有する化膿性創傷、栄養障害性潰瘍、熱傷、浸潤を処置するための請求項１または２の組成物。
【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
以下からなる群から選択される配列を含み、又は前記配列からなり、生物活性成分及び診断成分から選択される成分に結合しているペプチド若しくはペプチド模倣体のコンジュゲート。
【表１】
2010533171.tif 000001
【請求項２】
ペプチド若しくはペプチド模倣体が、YQDSAKT、VTYKTAS、EPLQLKM、WSLQASH、TLWVPSR、QGMHRGT、LYQDYSL、SESMSIK、LPWKPLG、QSPHTAP、TPAHPNY、SLLGSTP、TALPPSY、VNSATHS、LPLTPLP、NQLPLHA、GNTPSRA、TQTPLKQ、AMISAIH、NLTRLHT、HVIANAG、HAIYPRH、及びLGAQSNFからなる群から選択される、請求項１に記載のコンジュゲート。
【請求項３】
ペプチド若しくはペプチド模倣体が、SPNSIGT、STFTHPR、QLFTSAS、STIHGST、SAPRPLY、AAQTSTP、YQDSAKT、EPLQLKM、TLWVPSR、LYQDYSL、LPWKPLG、TPAHPNY、TALPPSY、LPLTPLP、HAIYPRH、及びGNTPSRAからなる群から選択される、請求項１に記載のコンジュゲート。
【請求項４】
ペプチド若しくはペプチド模倣体が、YQDSAKT、EPLQLKM、TLWVPSR、LYQDYSL、LPWKPLG、TPAHPNY、TALPPSY、LPLTPLP、HAIYPRH、及びGNTPSRAからなる群から選択される、請求項１に記載のコンジュゲート。
【請求項５】
ペプチド若しくはペプチド模倣体が、YQDSAKT、及びGNTPSRAからなる群から選択される、請求項１に記載のコンジュゲート。
【請求項６】
ペプチド若しくはペプチド模倣体が、LGAQSNF（配列番号１００）、QLFTSAS（配列番号３）、及びLYQDYSL（配列番号８５）からなる群から選択される、請求項１に記載のコンジュゲート。
【請求項７】
生物活性成分が、ＤＮＡ、ＲＮＡ、及びそれらのアナログからなる群から選択される、請求項１〜６のいずれかに記載のコンジュゲート。
【請求項８】
アナログが、２’−Ｏ−メトキシエチル−及び２’−Ｏ−メチルヌクレオチドである２’−Ｏ−アルキルヌクレオチド、又は２’−Ｏ−アルケニル（アリル）ヌクレオチド、又は２’−Ｏ−アルキニルヌクレオチド、固定化核酸（ＬＮＡ）、ペプチド核酸（ＰＮＡ）、エチレン架橋核酸（ＥＮＡ）、ホスホロチオエート修飾ヌクレオチド、モリホリノに基づくヌクレオチド、並びにその組合せを含む化合物から選択される、請求項７に記載のコンジュゲート。
【請求項９】
配列番号１〜１００のいずれかで示されるアミノ酸配列からなるペプチドと治療活性タンパク質及び／又は診断用タンパク質との融合タンパク質である、請求項１〜６のいずれかに記載のコンジュゲート。
【請求項１０】
さらに核局在化シグナルを含む、請求項９に記載のコンジュゲート。
【請求項１１】
生物活性成分又は診断成分を筋肉細胞に標的化させるための薬剤の調製における、請求項１〜１０のいずれかに記載のコンジュゲートの使用。
【請求項１２】
薬剤が、心臓疾患を含む筋細胞関連疾患の治療のためである、請求項１１に記載の使用。
【請求項１３】
薬剤が、ミオパシー、筋ジストロフィー、又は筋萎縮性疾患の治療のためである、請求項１２に記載の使用。
【請求項１４】
薬剤が、II型糖尿病又は肥満の治療のためである、請求項１１に記載の使用。
【請求項１５】
以下からなる群から選択される配列を含む、又は前記配列からなる、ペプチド若しくはペプチド模倣体と、生物活性成分若しくは診断成分に分子を結合させるリンキング部であってペプチドではないリンキング部とを含む分子。
【表２】
2010533171.tif 000002
【手続補正書】
【提出日】平成23年5月25日(2011.5.25)
【手続補正１】
【補正対象書類名】特許請求の範囲
【補正対象項目名】全文
【補正方法】変更
【補正の内容】
【特許請求の範囲】
【請求項１】
プロセスガス混合物を反応器中で少なくとも２つの別々な反応域において断熱的条件下で触媒床上で反応させ、
引き続いて少なくとも１つの反応域を出るプロセスガス混合物を特定の反応域の下流で連結されている熱交換器に通すことによる、
酸素による塩化水素の接触気相酸化により塩素を製造する方法であって、
熱交換器が、一方のプレートの上面に他方を重ねて層とされ、相互に結合されたプレートを含み、
個別のプレートが予め決め得るパターンにしたがって少なくとも２つの別々な流体流れチャンネルを有し、ならびに
プレートが、第１の流れ経路方向のプロセスガス混合物と、第２の流れ経路方向の熱交換器中で使用される熱交換媒体、が熱交換器中で流れるように配置された流体流れチャンネルを提供する
ことを特徴とする方法。
【請求項２】
≧６から≦５０の、好ましくは≧１０から≦４０の、更に好ましくは≧２０から≦３０の反応域を含んでなる、請求項１に記載の方法。
【請求項３】
請求項１から２のいずれか一つに記載の方法によって酸素により塩化水素を接触気相酸化することによる塩素を製造するための反応器系。
【手続補正書】
【提出日】平成23年5月25日(2011.5.25)
【手続補正１】
【補正対象書類名】特許請求の範囲
【補正対象項目名】全文
【補正方法】変更
【補正の内容】
【特許請求の範囲】
【請求項１】
酸素による塩化水素の反応が直列に接続された１８から６０の触媒床上で断熱的条件下において行われることを特徴とする、酸素による塩化水素の接触気相酸化により塩素を製造する方法。
【請求項２】
触媒が銅、カリウム、ナトリウム、クロム、セリウム、金、ビスマス、ウラニウム、ルテニウム、ロジウム、白金、および元素の周期律表の遷移金属ＶＩＩＩ族の元素からなる群から選択される少なくとも１つの元素を含むことを特徴とする、請求項１に記載の方法。
【請求項３】
触媒がルテニウムおよび／またはウラニウムもしくはルテニウムおよび／またはウラニウム化合物をベースとするものであることを特徴とする、請求項１から２のいずれか一つに記載の方法。
【請求項４】
塩化水素および酸素または塩化水素および酸素の混合物のフィードラインと、直列に接続された１８から６０の断熱触媒床を少なくとも含んでなる、塩化水素および酸素を含むガスを転化するための反応器系。
【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
アンモニア（１）と超化学量論比のプロセス空気（２）との触媒ガス相酸化を行い、ＮＯ及びＯ2を含むガス混合物（３）を得る工程、
ＮＯ及びＯ2を含むガス混合物（３）を冷却／濃縮し、及びＮＯをＯ2により更にＮＯ2／Ｎ2Ｏ4へと酸化し、硝酸を含む水溶液（４）及びＮＯ2／Ｎ2Ｏ4を含むガス流（５）を得る工程、及び
ＮＯ2／Ｎ2Ｏ4を含むガス流（５）からＮＯ2／Ｎ2Ｏ4を、吸着体（Ａ）中のプロセス水（Ｈ2Ｏ）に向流吸着させ、濃度が５０〜７７．８質量％の範囲である硝酸（７）及びＮＯXを含む吸着体排ガス（６）を得る工程、
によって濃度が５０〜７７．８質量％の範囲である硝酸を製造する方法であって、
硝酸（７）の水分含有量は、前記硝酸（７）の濃度が５０〜７７．８質量％の範囲となる範囲に調整され、及び、
吸着体排ガス（６）のＮＯX含有量が２０〜５００ｐｐｍに調整され、該調整は、触媒ガス相酸化に導入されるプロセス空気（２）の水分含有量を連続的に測定し、及びこれに依存して、吸着体（Ａ）に導入される工程水量（Ｑ−Ｈ2Ｏ）を調整することにより行われることを特徴とする方法。
【請求項２】
硝酸（７）の濃度が６０〜７７．８質量％の範囲に設定されることを特徴とする請求項１に記載の方法。
【請求項３】
硝酸の（７）の濃度が６８〜７０質量％の範囲に設定されることを特徴とする請求項２に記載の方法。
【請求項４】
吸着体排ガス（６）のＮＯX含量が１５０〜４００ｐｐｍの濃度範囲に制御されることを特徴とする請求項１〜３の何れかに記載の方法。
【請求項５】
吸着体（Ａ）が４〜２０バールの圧力下で操作されることを特徴とする請求項１〜３の何れかに記載の方法。
【請求項６】
吸着体（Ａ）が７〜１４バールの圧力下で操作されることを特徴とする請求項５に記載の方法。
【請求項７】
吸着体（Ａ）は段塔であり、工程水（Ｈ２Ｏ）が吸着体段塔の最上部の棚段及び付加的にその吸着体段塔の一以上のさらなる棚段に導入されることを特徴とする請求項１〜６の何れかに記載の方法。
【請求項８】
コンプレッサーが吸着体（Ａ）の上流に配置されている場合において、
そのコンプレッサーは、流量容量及びＮＯ2／Ｎ2Ｏ4を含むガス流（５）の上流の圧力が変化する場合においても常に一定の末端圧力を保証するものが選択されることを特徴とする請求項１〜７の何れかに記載の方法。
【手続補正２】
【補正対象書類名】明細書
【補正対象項目名】００１５
【補正方法】変更
【補正の内容】
【００１５】
解決方法は、超化学量論比のプロセス空気とアンモニアの触媒ガス相酸化によりＮＯとＯ2を含むガス混合物を得る工程、ＮＯ及びＯ2を含むガス混合物を冷却／濃縮し、及びＮＯをＯ2により更にＮＯ2／Ｎ2Ｏ4へと酸化し、硝酸を含む水溶液及びＮＯ2／Ｎ2Ｏ4を含むガス流を得る工程、及び、ＮＯ2／Ｎ2Ｏ4を含むガス流からＮＯ2／Ｎ2Ｏ4を、吸着体中の工程水に向流吸着させ、濃度が５０〜７７．８質量％の範囲である硝酸及びＮＯXを含む吸着体排ガスを得る工程により濃度が５０〜７７．８質量％の範囲である硝酸を製造する方法であって、硝酸の水分含有量は、前記硝酸の濃度が５０〜７７．８質量％の範囲となる範囲に調整され、及び吸着体排ガスのＮＯX含有量が２０〜５００ｐｐｍに調整され、その調整は触媒ガス相酸化に導入されるプロセス空気の水分含量を連続的に測定し、及びこれに依存して、吸着体に導入される工程水量を調整することにより行われることを特徴とする方法にある。
【手続補正書】
【提出日】平成23年7月7日(2011.7.7)
【手続補正１】
【補正対象書類名】特許請求の範囲
【補正対象項目名】全文
【補正方法】変更
【補正の内容】
【特許請求の範囲】
【請求項１】
ヒト皮膚組織中のＡＧＥの存在を制限するための組成物の調製のための、ＡＧＥに関するメイラード反応の逆転を促す少なくとも１つの物質の、局所適用による活性成分としての使用。
【請求項２】
ＡＧＥの脱糖化を促すための組成物を調製するための請求項１に記載の使用であって、前記活性物質が、以下：３，５−ジメトキシ−４−ヒドロキシ桂皮酸（シナピン酸）、トランス−３，３’，４’，５，７−ペンタヒドロキシフラバン（カテキン）、オキシインドール、３，４−ジヒドロキシフェニル酢酸（ＤＯＰＡＣ）、１，３，５−トリヒドロキシベンゼン（フロログルシノール）、４−アミノフェノール、２−ヒドロキシ安息香酸（サリチル酸）、６−ヒドロキシ−２，５，７，８−テトラメチルクロマン−２−カルボン酸（トロロックス）、ノルジヒドログアイアレチン酸、６−メチル−５，７ａ，１３，１３ｂ−テトラアザペンタフェン−８，１４−ジオン、６−ヒドロキシインドール、サルソリノール臭化水素酸塩、７−ヒドロキシ−４，６−ジメチルフタリド、３，４−ジヒドロキシ桂皮酸（カフェイン酸）、フィゾスチグミン、２−ヒドロキシメチル−５−ヒドロキシ−γ−ピロン（コウジ酸）、以下の：awati、ジャマイカ・クマツヅラ、セクロピア、ウインターグリーン、piper mistletoe、サクラ、カッシアおよびダンドク(Indian shot)からなる群から選択される植物の少なくとも１つの抽出物、ならびにその任意の混合物からなる群から選択される、上記使用。
【請求項３】
前記組成物が局所的に適用され得る化粧用組成物である、請求項１または請求項２に記載の使用。
【請求項４】
前記組成物が、皮膚組織中のＡＧＥの脱糖化を促すことにより、組織の柔軟性および／または可塑性および／または弾力性および／または機能性の低減を予防しかつ／またはこれに対抗する、ならびに／あるいは組織の老化を予防しかつ／またはこれに対抗することが意図される、請求項１〜３のいずれか１項に記載の使用。
【請求項５】
前記物質が、総組成物のうち、植物抽出物に関して０．００１〜１０重量％の濃度、および特性決定された分子に関して１０−７〜１重量％の濃度で用いられる、請求項１〜４のいずれか１項に記載の使用。
【請求項６】
ＡＧＥの脱糖化を促す活性成分のスクリーニング方法であって、以下のステップ：
(ａ）ＡＧＥを生成するステップ；
(ｂ）ＡＧＥの脱糖化に関連したその活性に関してスクリーニングする対象の物質とＡＧＥを接触させるステップ；および
(ｃ）ＡＧＥの脱糖化を促す少なくとも１つの活性成分を選択するステップ
を含む方法。
【請求項７】
ステップ(ａ）が、ＡＧＥの形成を可能にする条件下での、糖の存在下での、皮膚からのまたは血管壁からの少なくとも１種類のタンパク質のインキュベーションを含む、請求項６に記載のスクリーニング方法。
【請求項８】
皮膚からのタンパク質がヒトコラーゲンである、請求項７に記載のスクリーニング方法。
【請求項９】
ステップ(ｂ）が、４０〜６０℃の温度でスクリーニング対象の少なくとも１つの物質の存在下でのＡＧＥのインキュベーションを含む、請求項６〜８のいずれか１項に記載のスクリーニング方法。
【請求項１０】
ステップ(ｂ）が、約５０℃の温度でスクリーニング対象の少なくとも１つの物質の存在下でのＡＧＥのインキュベーションを含む、請求項９に記載のスクリーニング方法。
【請求項１１】
皮膚中のＡＧＥの脱糖化を促すことにより、皮膚の柔軟性および／または可塑性および／または弾力性および／または機能性の低減を予防しかつ／またはこれに対抗する、ならびに／あるいは皮膚の老化を予防しかつ／またはこれに対抗することが意図される、局所的にまたは食品（栄養）補助剤として適用され得る化粧用組成物であって、オキシインドール、３，４−ジヒドロキシフェニル酢酸（ＤＯＰＡＣ）、１，３，５−トリヒドロキシベンゼン（フロログルシノール）、４−アミノフェノール、２−ヒドロキシ安息香酸（サリチル酸）、６−ヒドロキシ−２，５，７，８−テトラメチルクロマン−２−カルボン酸（トロロックス）、ノルジヒドログアイアレチン酸、６−メチル−５，７ａ，１３，１３ｂ−テトラアザペンタフェン−８，１４−ジオン、６−ヒドロキシインドール、サルソリノール臭化水素酸塩、７−ヒドロキシ−４，６−ジメチルフタリド、フィゾスチグミン、以下：awati、ジャマイカ・クマツヅラ、セクロピア、ウインターグリーン、piper mistletoe、サクラ、カッシアおよびダンドクからなる群から選択される植物の少なくとも１つの抽出物；ならびにその任意の混合物からなる群から選択されるヒト皮膚中のＡＧＥに関するメイラード反応の逆転を促す物質を活性成分として含む、上記組成物。
【請求項１２】
オキシインドール、３，４−ジヒドロキシフェニル酢酸（ＤＯＰＡＣ）、１，３，５−トリヒドロキシベンゼン（フロログルシノール）、４−アミノフェノール、２−ヒドロキシ安息香酸（サリチル酸）、６−ヒドロキシ−２，５，７，８−テトラメチルクロマン−２−カルボン酸（トロロックス）、ノルジヒドログアイアレチン酸、６−メチル−５，７ａ，１３，１３ｂ−テトラアザペンタフェン−８，１４−ジオン、６−ヒドロキシインドール、サルソリノール臭化水素酸塩、７−ヒドロキシ−４，６−ジメチルフタリド、フィゾスチグミン、以下：awati、ジャマイカ・クマツヅラ、セクロピア、ウインターグリーン、piper mistletoe、サクラ、カッシアおよびダンドクからなる群から選択される植物の少なくとも１つの抽出物；ならびにその任意の混合物からなる群から選択される皮膚中のＡＧＥに関するメイラード反応の逆転を促す物質を活性成分として含む、皮膚の柔軟性および／または可塑性および／または弾力性および／または機能性の低減を予防しかつ／またはこれに対抗することが特に意図される医薬組成物。
【手続補正書】
【提出日】平成23年6月17日(2011.6.17)
【手続補正１】
【補正対象書類名】特許請求の範囲
【補正対象項目名】全文
【補正方法】変更
【補正の内容】
【特許請求の範囲】
【請求項１】
外側折りたたみカートン（１）およびフィルム製内部容器を囲む内側折りたたみカートン（２）を有し、内側折りたたみカートン（２）が、そのカートンボディ壁面の１つ（１４）により、外側折りたたみカートン（１）の隣接するカートンボディ壁面（６）に粘着的に結合しているカートン包装体であって、
外側折りたたみカートン（１）および内側折りたたみカートン（２）が、フィルム製内部容器を本質的に完全に囲んでおり、
内側折りたたみカートン（２）および外側折りたたみカートン（１）の各々が蓋フラップ（それぞれ３５、３６、３７、３８および２７、２８、２９、３０）を有し、該蓋フラップは、それらのカートンボディ壁面（１３，１４，１５，１６および５、６、７、８）の上端（それぞれ３１、３２、３３、３４および２３、２４、２５、２６）に、折りたたみ可能な様式で付けられており、
折りたたみ可能な様式で取り付けられた蓋フラップ（３５、３７）を各々が備えている、内側折りたたみカートン（２）の互いに反対側となる２つのカートンボディ壁面（１３、１５）の上端（３１、３３）が、外側折りたたみカートン（１）のカートンボディ壁面（５、６、７、８）の上端（２３、２４、２５、２６）よりも低く配置されていることを特徴とする、前記カートン包装体。
【請求項２】
内側折りたたみカートン（２）の蓋フラップ（３５、３７）が、完成形態カートン包装体において傾斜していることを特徴とする、請求項１に記載のカートン包装体。
【請求項３】
内側折りたたみカートン（２）のカートンボディ壁面（１３，１４，１５，１６）が、ボディ端（１７、１８、１９、２０）において、端部スロット（４７）に各々が架橋しているカートンブリッジ（４６）を介して、折りたたみ可能な様式で互いに連結していることを特徴とする、請求項１または２に記載のカートン包装体。
【請求項４】
内側折りたたみカートン（２）が、さらなるカートンボディ壁面により、外側折りたたみカートン（１）の隣接するカートンボディ壁面に粘着的に結合していることを特徴とする、請求項１〜３のいずれか一項に記載のカートン包装体。
【請求項５】
下に配置されたフィルム製内部バッグ（４）の取出しクロージャ（３）に対する開閉式アクセス開口（４４）を有する蓋フラップ（２８）が、内側折りたたみカートン（２）に粘着的に結合している外側折りたたみカートン（１）のカートンボディ壁面（６）に折りたたみ可能な様式で付いていることを特徴とする、請求項４に記載のカートン包装体。
【請求項６】
フィルム製内部容器が、取出しクロージャを備えた軟質フィルム製内部バッグ（４）からなる、請求項１〜５のいずれか一項に記載のカートン包装体。
【請求項７】
内側折りたたみカートン（２）および外側折りたたみカートン（１）の各々が、カートンボディ壁面（それぞれ１６および８）に接着層（それぞれ２２および２１）を有するカートン折りたたみスリーブ（それぞれ４８および４９）から形成されていることを特徴とする、請求項１〜６のいずれか一項に記載のカートン包装体。
【請求項８】
内側折りたたみカートン（２）および外側折りたたみカートン（１）の各々が、それらのカートンボディ壁面（それぞれ１３、１４、１５、１６および５、６、７、８）の下端（３９、４０）に、折りたたみ可能な様式で付けられている底面フラップ（それぞれ４１および４２）を有することを特徴とする、請求項１〜７のいずれか一項に記載のカートン包装体。
【請求項９】
内側折りたたみカートン（２）および外側折りたたみカートン（１）の各々が、別のカートンブランクからなることを特徴とする、請求項１〜８のいずれか一項に記載のカートン包装体。
【請求項１０】
内側折りたたみカートン（２）および外側折りたたみカートン（１）が、１つの連結カートンブランクからなることを特徴とする、請求項１〜９のいずれか一項に記載のカートン包装体。
【請求項１１】
請求項１〜１０のいずれか一項に記載のカートン包装体の製造のための組立て式カートンユニットであって、平らに折りたたまれた内側カートン折りたたみスリーブ（４８）が、平らに折りたたまれた外側カートン折りたたみスリーブ（４９）内に配置され、ここで内側カートン折りたたみスリーブ（４８）の少なくとも１つのカートンボディ壁面（１４）が、外側カートン折りたたみスリーブ（４９）の隣接するカートンボディ壁面（６）に粘着的に結合していることを特徴とする、前記組立て式カートンユニット。
【手続補正２】
【補正対象書類名】明細書
【補正対象項目名】００１４
【補正方法】変更
【補正の内容】
【００１４】
外側折りたたみカートン１は、そのカートンボディ壁面５、６、７および８の上端２３、２４、２５および２６の各々に折りたたみ可能な様式で付いている、蓋フラップ２７、２８、２９および３０を有する。
対応する様式において、内側折りたたみカートン２において、蓋フラップ３５、３６、３７および３８は、カートンボディ壁面１３、１４、１５および１６の上端３１、３２、３３および３４に折りたたみ可能な様式で付いている。
内側折りたたみカートン２および外側折りたたみカートン１の各々は、それらのカートンボディ壁面１３、１４、１５および１６、および５、６、７および８の下端３９、４０にそれぞれ折りたたみ可能な様式で付いている、底面フラップ４１および４２を有する。
【手続補正３】
【補正対象書類名】図面
【補正対象項目名】図３
【補正方法】変更
【補正の内容】
【図３】
2010533103.tif 000001
【手続補正書】
【提出日】平成23年7月1日(2011.7.1)
【手続補正１】
【補正対象書類名】特許請求の範囲
【補正対象項目名】全文
【補正方法】変更
【補正の内容】
【特許請求の範囲】
【請求項１】
一連のそれぞれ異なる機能を果たすようにモジュール式ロボットクローラを調製する方法であって、
計画された実施されるべき機能の作動シナリオに基づいて、それぞれが少なくとも１つの相互連結可能なインターフェースを有する、それぞれ異なる機能を果たす相互整合性セグメントモジュールの先在的な集まりの中から、複数のセグメントモジュールを選択するステップであって、前記複数のセグメントモジュールが、少なくとも１つの推進モジュールと、あるモジュールを少なくとも１つの他のモジュールに対して軸方向への回転を容易にする少なくとも一つの回転する関節モジュールとを有する、ステップと、
機能の前記シナリオの実施が可能であるモジュール式ロボットクローラを形成するために、前記選択されたセグメントモジュールを直列構成に相互連結させるステップと
を含む、方法。
【請求項２】
前記モジュール式ロボットクローラの作動中に、前記モジュール式ロボットクローラに対して少なくとも１つの追加のセグメントモジュールを相互連結させて、作動シナリオの中でロボットクローラの構成を変更するステップをさらに含み、
更に前記モジュール式ロボットクローラの作動中に、前記モジュール式ロボットクローラから少なくとも１つのセグメントモジュールを連結解除させて、作動シナリオの中でロボットクローラの構成を変更するステップを含む、請求項１に記載の方法。
【請求項３】
複数のモジュールを選択する前記ステップは、
第１の移動モードを有する少なくとも１つのセグメントモジュールを選択するステップと、
前記第１のモードとは異なる第２の移動モードを有する少なくとも１つのセグメントモジュールを選択するステップと
を含む、請求項１に記載の方法。
【請求項４】
前記モジュール式ロボットクローラを作動させて機能を果たすステップと、
前記第１の移動モードと前記第２の移動モードとの間で前記モジュール式ロボットクローラを切り替えるステップと
をさらに含む、請求項３に記載の方法。
【請求項５】
前記第１の移動モードは、重力を基準とする面に沿って前記蛇様ロボットビークルを移動させるための、重力作用によるトラクションモードであり、前記第２の移動モードは、反重力を基準とする面に沿って前記蛇様ロボットビークルを移動させるための、自己作用によるトラクションモードである、請求項４に記載の方法。
【請求項６】
モジュール式ロボットクローラシステムであって、
ａ）構成を変更可能なモジュール式ロボットクローラを形成するように、連鎖状に連結可能であり、少なくとも１つの中間セグメントモジュールを含む、複数のセグメントモジュールを備え、
ｂ）前記少なくとも１つの中間セグメントモジュールは、
ｉ）セグメント本体、
ｉｉ）前記セグメント本体の第１の端部に配置される第１の連結器、および
ｉｉｉ）前記セグメント本体の第２の端部に配置される第２の連結器を有し、
ｉｖ）前記第１の連結器および前記第２の連結器は、複数の中間セグメントが連続的に連結され得るように相互整合性のものであり、
ｃ）前記複数のセグメントモジュールが、少なくとも１つの推進モジュールと、あるセグメントモジュールを少なくとも１つの他のセグメントモジュールに対して軸方向への回転を容易にする少なくとも一つの回転する関節モジュールとを有する、モジュール式ロボットクローラシステム。
【請求項７】
前記セグメントモジュールの中の１つの中に配設される少なくとも第２の推進デバイスをさらに備える、請求項６に記載のモジュール式ロボットクローラ。
【請求項８】
前記セグメントモジュールの中の少なくとも１つが、あるセグメントモジュールを少なくとも１つの他のセグメントモジュールに対して、平面外への移動を可能にする回転関節部のモジュールを備える、請求項６に記載のモジュール式ロボットクローラ。
【請求項９】
前記セグメントモジュールの中の少なくとも１つが環境センサを備え、前記環境センサは、カメラ、化学センサ、生物学的センサ、光センサ、湿度センサ、振動センサ、温度センサ、電磁センサ、磁力計、音センサ、力センサ、圧力センサ、触覚センサ、ソナー、レーダ、ライダ、放射線センサ、地震センサ、サンプラ、およびそれらの組合せからなる群より選択される、請求項６に記載のモジュール式ロボットクローラ。
【請求項１０】
前記セグメントモジュールの中の少なくとも１つが通信モジュールを備え、前記通信モジュールは、光学トランシーバ、高周波トランシーバ、電磁波トランシーバ、音響トランシーバ、およびそれらの組合せからなる群より選択される、請求項６に記載のモジュール式ロボットクローラ。
【請求項１１】
前記セグメントモジュールの中の少なくとも１つがマニピュレータモジュールである、請求項６に記載のモジュール式ロボットクローラ。
【請求項１２】
前記セグメントモジュールは、前記モジュール式ロボットクローラの作動中に他のモジュールに連結され得る、または他のモジュールから連結解除され得る装着構造部を備える、請求項６に記載のモジュール式ロボットクローラ。
【請求項１３】
前記セグメントモジュールはそれぞれ前記セグメントモジュールの中の少なくとも２つにわたって動力供給がなされる動力供給源を備える、請求項６に記載のモジュール式ロボットクローラ。
【請求項１４】
前記セグメントモジュールは、連結されたセグメントモジュール間での通信を可能にするための信号インターフェースを有し、前記第１の連結器および前記第２の連結器はそれぞれ、連結された中間セグメント同士の間の通信を可能にするための互換性信号インターフェースを備え、前記セグメントモジュールの少なくとも１つが少なくとも３つの連結器を備える、請求項８に記載のモジュール式ロボットクローラ。
【請求項１５】
前記信号インターフェースを介して前記セグメントモジュールと通信状態におかれる制御システムをさらに備える、請求項１４に記載のモジュール式ロボットクローラ。
【手続補正書】
【提出日】平成23年3月29日(2011.3.29)
【手続補正１】
【補正対象書類名】特許請求の範囲
【補正対象項目名】全文
【補正方法】変更
【補正の内容】
【特許請求の範囲】
【請求項１】
一般式：
【化１】
2010533166.tif 000001
［式中、Ａは低級アルキレン基、Ｒはシクロアルキル基、カルボスチリル骨格の３位と４位間の結合は１重結合又は２重結合を示す］
で示されるカルボスチリル誘導体またはその塩を有効成分とする脂肪肝の予防及び／又は治療剤。
【請求項２】
有効成分が６−［４−（１−シクロヘキシル−１Ｈ−テトラゾール−５−イル)ブトキシ］−３，４−ジヒドロカルボスチリル又はその塩である請求項１に記載の薬剤。
【請求項３】
脂肪肝の予防及び／又は治療剤を製造するための請求項１または２に記載のカルボスチリル誘導体又はその塩の使用。
【誤訳訂正書】
【提出日】平成23年7月5日(2011.7.5)
【誤訳訂正１】
【訂正対象書類名】特許請求の範囲
【訂正対象項目名】請求項１６
【訂正方法】変更
【訂正の内容】
【請求項１６】
腫瘍性疾患が、線維肉腫、粘液肉腫、脂肪肉腫、軟骨肉腫、骨肉腫、脊索腫、血管肉腫、内皮肉腫、リンパ管肉腫、リンパ管内皮肉腫、滑膜腫、中皮腫、ユーイング腫瘍、平滑筋肉腫、横紋筋肉腫、大腸癌、膵臓癌、乳癌、卵巣癌、前立腺癌、扁平上皮癌、基底細胞癌、腺癌、汗腺癌、皮脂腺癌、乳頭状癌、乳頭状腺癌、嚢胞腺癌、骨髄癌、気管支原生癌、腎細胞癌、肝細胞癌、胆管癌、絨毛癌、精上皮腫、胎生期癌、ウィルムス腫瘍、子宮頸癌、精巣腫瘍、肺癌、小細胞肺癌、膀胱癌、上皮癌、神経膠腫、星状細胞腫、髄芽細胞腫、頭蓋咽頭腫、脳室上衣細胞腫、松果体腫、血管芽細胞腫、聴神経腫、乏突起神経膠腫、髄膜腫、黒色腫、神経芽細胞腫、網膜芽細胞腫、白血病、リンパ腫、多発性骨髄腫、ワルデンストレームマクログロブリン血症、およびＨ鎖病である、請求項１５に記載の使用。
【誤訳訂正２】
【訂正対象書類名】明細書
【訂正対象項目名】００１７
【訂正方法】変更
【訂正の内容】
【００１７】
滑膜腫、中皮腫、ユーイング腫瘍、平滑筋肉腫、横紋筋肉腫、大腸癌、膵臓癌、乳癌、卵巣癌、前立腺癌、扁平上皮癌、基底細胞癌、腺癌、汗腺癌、皮脂腺癌、乳頭状癌、乳頭状腺癌、嚢胞腺癌、骨髄癌（bone marrow carcinoma）、気管支原生癌、腎細胞癌、肝細胞癌、胆管癌、絨毛癌、精上皮腫、胎生期癌、ウィルムス腫瘍、頸部癌、精巣腫瘍、肺癌、小細胞肺癌、膀胱癌、上皮癌、神経膠腫、星状細胞腫、髄芽細胞腫、頭蓋咽頭腫、脳室上衣細胞腫、松果体腫、血管芽細胞腫、聴神経腫、乏突起神経膠腫、髄膜腫、黒色腫、神経芽細胞腫、網膜芽細胞腫、白血病、リンパ腫、多発性骨髄腫、ワルデンストレームマクログロブリン血症、およびＨ鎖病。
【誤訳訂正３】
【訂正対象書類名】明細書
【訂正対象項目名】００２３
【訂正方法】変更
【訂正の内容】
【００２３】
宿主または患者は、任意の哺乳類種に属してよく、例えば、霊長類種、特にヒト；マウス、ラットおよびハムスターを含むげっ歯類；ウサギ、ウマ、ウシ、イヌ、ネコなどである。動物モデルは、実験的研究において興味深く、ここで動物モデルはヒト疾患の処置のためのモデルを提供する。
【誤訳訂正４】
【訂正対象書類名】明細書
【訂正対象項目名】０１４４
【訂正方法】変更
【訂正の内容】
【０１４４】
本発明は、本発明の化合物およびその薬学的に使用し得る誘導体、溶媒和物および立体異性体、ならびにそれらの全ての比率での混合物の使用であって、以下の疾患の処置のための、医薬の製造のための前記使用を包含する：腫瘍疾患、例えば、線維肉腫、粘液肉腫、脂肪肉腫、軟骨肉腫、骨肉腫、脊索腫、血管肉腫、内皮肉腫、リンパ管肉腫、リンパ管内皮肉腫、滑膜腫、中皮腫、ユーイング腫瘍、平滑筋肉腫、横紋筋肉腫、大腸癌、膵臓癌、乳癌、卵巣癌、前立腺癌、扁平上皮癌、基底細胞癌、腺癌、汗腺癌、皮脂腺癌、乳頭状癌、乳頭状腺癌、嚢胞腺癌、骨髄癌、気管支原生癌、腎細胞癌、肝細胞癌、胆管癌、絨毛癌、精上皮腫、胎生期癌、ウィルムス腫瘍、頸部癌、精巣腫瘍、肺癌、小細胞肺癌、膀胱癌、上皮癌、神経膠腫、星状細胞腫、髄芽細胞腫、頭蓋咽頭腫、脳室上衣細胞腫、松果体腫、血管芽細胞腫、聴神経腫、乏突起神経膠腫、髄膜腫、黒色腫、神経芽細胞腫、網膜芽細胞腫、白血病、リンパ腫、多発性骨髄腫、ワルデンストレームマクログロブリン血症、およびＨ鎖病；
【手続補正書】
【提出日】平成23年7月5日(2011.7.5)
【手続補正１】
【補正対象書類名】明細書
【補正対象項目名】発明の名称
【補正方法】変更
【補正の内容】
【発明の名称】流体用の弁および流体用の弁を組み立てる方法
【手続補正２】
【補正対象書類名】特許請求の範囲
【補正対象項目名】全文
【補正方法】変更
【補正の内容】
【特許請求の範囲】
【請求項１】
弁座リングを受けるための湾曲した内面を有した弁箱と、
移動可能な制御部材を受けるためのシール面および前記弁箱の前記湾曲した内面と係合するための前記シール面の反対側に位置する湾曲面を有した弁座リングと
を備えてなる、流体用の弁。
【請求項２】
前記弁座リングの前記湾曲面と前記弁箱の前記湾曲した内面との間に配置されるシールをさらに備え、
前記シールが前記弁座リングの凹部内に配設され、
前記シールが、金属材料、エラストマ材料または複合材料のうちの少なくとも一つを含んでなる、請求項１に記載の流体用の弁。
【請求項３】
前記弁座リングの前記湾曲面と前記弁箱の前記湾曲した内面とがほぼ等しい曲率半径を有してなり、
前記流体用の弁の組立中、前記弁座リングの前記湾曲面と前記弁箱の前記湾曲した内面が協働して複数の制御弁構成部材を一直線上に並べるように構成されてなる、請求項１または２に記載の流体用の弁。
【請求項４】
前記弁座リングの表面が、ガイドを受けるための肩部を有してなり、
前記ガイドがケージを含んでなる、請求項１ないし３のいずれかに記載の流体用の弁。
【請求項５】
前記弁座リングが前記移動可能な制御部材を受けるためのアパーチャと、
相補的な湾曲部を有した弁箱に係合するための前記アパーチャから離れて前記弁座リングの外縁の方向に向けて延びている湾曲部を有した外面とを備えており、
前記弁座リングの前記外面の前記曲線部が、前記アパーチャと前記移動可能な制御部材とを一直線上に並ぶよう配列させるように構成されてなる、請求項１ないし４のいずれかに記載の流体用の弁。
【請求項６】
前記弁座リングの前記表面の前記湾曲面および前記弁箱の前記湾曲した内面が、前記アパーチャを前記移動可能な制御部材と同軸上に配列させるように構成されてなる、請求項５に記載の流体用の弁。
【請求項７】
前記弁箱の前記湾曲した内面が、前記弁座リングの前記湾曲面にへこみを形成するための突出部を有してなる、請求項１ないし６のいずれかに記載の流体用の弁。
【請求項８】
前記弁座リングの前記湾曲面が、前記弁箱の前記湾曲した内面にへこみを形成するための突出部を有してなる、１ないし６のいずれかに記載の流体用の弁。
【請求項９】
流体用の弁を組み立てる方法であって、
湾曲部を具備した外面を備えている弁座リングを弁箱の中に挿入することと、
前記弁座リング上にガイドを位置付けすることと、
前記ガイドを前記弁座リングに抗して移動することにより前記弁座リングの前記曲線部を前記弁箱に抗して移動させることで、前記弁座リングと前記ガイドとを一直線上に並ぶように配列することとを含む、流体用の弁を組み立てる方法。
【請求項１０】
前記弁座リングおよび前記ガイドが、前記弁座リングと前記ガイドとを機械的に結合するための相補的な構造体を有しており、
前記ガイドを前記弁座リングに抗して移動することが、前記相補的な構造体を嵌め合わせるために前記弁座リングと前記ガイドとを手動により圧入することを含む、請求項９に記載の流体用の弁を組み立てる方法。
【手続補正書】
【提出日】平成23年5月13日(2011.5.13)
【手続補正１】
【補正対象書類名】特許請求の範囲
【補正対象項目名】全文
【補正方法】変更
【補正の内容】
【特許請求の範囲】
【請求項１】
排気ノズルであって、
前方端部における取付けフランジ及び対向する後方端部における環状支持フランジを有する環状排気ダクトと、
前記支持フランジに対して固定接合されたモジュラシェブロンの列と、を含む、
ノズル。
【請求項２】
前記シェブロンの各々が、前記支持フランジ上に取付けられたベースフランジにおいて互いに固定接合されかつその幅が対向する頂部まで円周方向に収束する半径方向外側及び内側スキンを含む、請求項１記載のノズル。
【請求項３】
前記スキンが、半径方向に間隔を置いて配置されて中空コアを形成しかつ各シェブロンの後端縁に沿って延びる周辺リムによって境界付けられ、また
隣接するシェブロンが、円周方向に間隔を置いて配置されて発散形スロットを形成する、
請求項２記載のノズル。
【請求項４】
各シェブロンが、前記ベースフランジ及び頂部間でその半径方向厚さがテーパしている、請求項３記載のノズル。
【請求項５】
前記シェブロンコアが、前記スキン間にラミネートされたハニカムを含む、請求項４記載のノズル。
【請求項６】
前記シェブロンリムが、前記コアハニカムの周りで前記後端縁に沿って前記スキンを閉鎖した状態で橋絡する金属薄板ストリップを含む、請求項５記載のノズル。
【請求項７】
前記支持フランジが、軸方向後方に延びる環状トングを含み、
前記シェブロンの各々が、該シェブロンのベースフランジ内に軸方向後方に凹設された円周方向アーチ形グルーブを含み、また、
前記モジュラシェブロンが、前記支持フランジとの間におけるトング及びグルーブ継手により該支持フランジ上に独立して取付けられる、
請求項４記載のノズル。
【請求項８】
前記リムが、前記シェブロンの外側及び内側スキンの内側に凹設されかつ該外側及び内側スキンに対して固定接合される、請求項４記載のノズル。
【請求項９】
前記支持フランジに固定接合されかつ隣接するシェブロンをそれに対応して円周方向に分離する複数のフィラーをさらに含む、請求項４記載のノズル。
【請求項１０】
前記ダクトを囲みかつ前記シェブロン外側スキンと空気力学的に同一平面になった状態で前記支持フランジにおいて終端する環状整流板と、
前記支持フランジにおける前記排気ダクトから半径方向外向きかつ前向きに前記整流板まで延びるＺフランジと、
をさらに含む、請求項４記載のノズル。
【請求項１１】
排気ノズルであって、
ベース及び対向する頂部間で後端縁に沿って収束する外側及び内側スキンを備えたモジュラシェブロン、を含み、
前記スキンが、ベースフランジにおいてまた前記ベース及び頂部間で前記後端縁に沿って延びるリムにおいて、互いに固定接合される、
ノズル。
【請求項１２】
前記ベースフランジが、前記スキン間で前記シェブロンベースに沿って凹設され、また
前記リムが、前記ベースフランジからかつ前記頂部の周りで前記後端縁に沿って前記スキンを閉鎖して、該スキンから該ベースフランジに空気力学的圧力荷重を伝達する、
請求項１１記載のノズル。
【請求項１３】
前記スキンが、前記ベースフランジ及びリムの内側で横断方向に間隔を置いて配置されて、前記シェブロンの内部に中空コアを形成する、請求項１２記載のノズル。
【請求項１４】
前記シェブロンが、前記ベース及び頂部間で長手方向にその側方幅及び横断方向厚さの両方が収束する、請求項１３記載のノズル。
【請求項１５】
前記外側及び内側スキンが、それぞれ前記ベース及び頂部間で長手方向に凸面形及び凹面形である、請求項１４記載のノズル。
【手続補正書】
【提出日】平成23年7月5日(2011.7.5)
【手続補正１】
【補正対象書類名】特許請求の範囲
【補正対象項目名】請求項２
【補正方法】変更
【補正の内容】
【請求項２】
同じ量の対照検体は前記複数の前記較正サンプルの各々に加えられる、請求項１の較正方法。